(57)【特許請求の範囲】
【請求項１】
ＬＥＤランプが ロール状に曲げ加工できる帯状フレキシブルプリント基板の縁に沿って装着され、上記ＬＥＤランプの放射光の光放射角が上記フレキシブルプリント基板の基板面の両側に広がり、かつ、上記帯状フレキシブルプリント基板をロール状に曲げ加工することにより、上記ＬＥＤランプが平面上に配置される表示面を形成することを特徴とするフレキシブルＬＥＤモジュールにより構成され、
熱可塑性樹脂シートを熱成形することにより成形されるモジュール固定用リムに前記フレキシブルＬＥＤモジュールが前記表示面と前記帯状フレキシブルプリント基板が垂直となるよう張り付け固定されていることを特徴とするＬＥＤ表示システム。
【請求項２】
請求項１記載のフレキシブルＬＥＤモジュールにより構成され、
樹脂板に彫り込まれ成形されるか、あるいは、熱可塑性樹脂シートを熱成形することにより成形されるモジュール収納溝に前記フレキシブルＬＥＤモジュールが前記表示面と前記帯状フレキシブルプリント基板が垂直となるよう収納固定されていることを特徴とするＬＥＤ表示システム。
【発明の詳細な説明】
【技術分野】
【０００１】
本発明は、個別に輝度制御されるＬＥＤランプを用いた各種光看板、広告、装飾システムの構成を総合的に効率化する構成方式に関し、平面上、あるいは３次元空間内に、ＬＥＤランプを所定位置に配置固定する手段、それらのＬＥＤランプ、制御回路に防水防護措置を施す手段、および、デザイン、形状等を、顧客の個別要求に即応させることを可能とする手段を提供する。
【背景技術】
【０００２】
ＬＥＤランプは、従来より、連珠状に連ねられ、立木にからませるなどの空間的な光装飾システムとして、あるいは、平面上に配置され、文字、装飾図形等を光表示させる光広告、看板などとして広く用いられてきた。さらに近年、個々のＬＥＤランプの輝度を個別に制御することにより単なる点滅以外の、より装飾効果の高い様々なフルカラー電飾映像を表示させることも可能となってきた。
【０００３】
以下に示されるのは、そうしたＬＥＤランプによる各種光表示システム構築に関して共通する基本的課題である。
（１）ＬＥＤランプは豆電球と異なり視野角に制限があるため、例えば、平面上にＬＥＤランプを配置し文字図形を表示させる場合、ＬＥＤランプの光軸はその表示面（＝ＬＥＤランプを配置しようとしている平面）に垂直方向に設定する必要があるなど、光軸を正確に表示方向に向け設定、固定しなければならない。
（２）ＬＥＤランプは接続部も含め、機構的に脆弱な電子部品であり、外部からの機械的ストレスに耐えうるよう何らかの防護措置が必要である。特に、ＬＥＤランプを個別に輝度制御する場合、ＬＥＤランプと共に必要とする電子回路をいかにして防護するかは重要課題となる。
（３）屋外設置の場合には防水措置が必要となる。
（４）ＬＥＤランプを用いた光広告、看板も、塗装、ネオンサイン等他の様式の広告看板と同様、顧客の様々な要望に応じて、大きさ、形状、表示内容等を制作現場において即応的にデザイン、制作できる自由度を確保できなければならない（デザイン上の自由度と即応性の確保）。  
【発明の開示】
【発明が解決しようとする課題】
【０００４】
ＬＥＤランプによる光看板、広告、装飾システムを構成するため従来より用いられてきた手法とそれらのそれぞれの問題点を次に示す。
（１）（硬質）プリント基板上に所定の形状に従ってＬＥＤランプを装着する。この場合の表示面はプリント基板であり、ＬＥＤランプの光軸は表示面、即ちプリント基板と垂直方向に設定される。そのためＬＥＤランプとしては、半田接着面、（＝プリント基板面）に対して光軸が垂直となる、いわゆるTop Viewタイプが用いられる。そして、通常、ＬＥＤランプが所定形状に装着されたプリント基板全体は表示面全体を覆う透明アクリル板等により防水、防護される。
この方法では、ＬＥＤランプはプリント基板上で自由に配置でき、かつ、それらを個別に輝度制御する場合、必要となる電子回路も同時に搭載できるという利点はあるものの、ＬＥＤランプの配置は平面に限られ、広告、看板と同じ大きさのプリント基板、防水、防護用ガラス、アクリル板を必要とし、かつそれらの基板を支えるフレーム構造も必要とすることから、規模が大きくなるに従いコストがかさみ、重量も増す。さらに、プリント基板を用いるこの方法では、最終製品まで工場生産に頼らざるを得ず、ＬＥＤランプの配置等のデザイン上の自由度、即応性の確保が難しい。
【０００５】
（２）図１に示されるようにＬＥＤランプ1aのリード線接続部1cを熱収縮チューブ1b等で防水、防護措置を施し、それらのＬＥＤランプを電線1dで連珠状に連ねたいわゆるルミチューブを使用する。このルミチューブは立木に絡ませる、金網等の編み目を利用してＬＥＤランプを所定の形状に固定配置するする等、もっぱら装飾システムとして用いられる。この手法の最大の欠点は各ＬＥＤランプの光軸方向が定まらないことであり、また、輝度制御のための電子回路を組み込むことも困難である。
【０００６】
（３）連珠状に連ねたＬＥＤランプと電線を一体的に透明樹脂内に封止したルミチューブを使用する。このルミチューブではＬＥＤランプはチューブ内に完全に封止されているため防水、防護措置に優れている。しかしながら、コスト高であると同時に、この透明樹脂に封止されたルミチューブは重量、硬度をもった樹脂管であるため、曲げに対する柔軟性が損なわれてしまっている。従って、その樹脂管を所定形状に成形するについては強度のあるフレーム構造が必要であり、細かな曲げを伴う成型には向かない。また、（２）と同様輝度制御のための電子回路を組み込むことは困難である。
【０００７】
（４）図２に示されるように表示面を構成する部材としてある程度の厚みを持つ、アルミ板等の部材2aと（２）に示されたＬＥＤランプに個別に防護加工を施したルミチューブとを用いる。アルミ板2a上で光軸を表示面（アルミ板）と垂直に保ちつつＬＥＤランプ2bを所定形状に配置、固定するため、それらの各設定位置には表示面（アルミ板）と垂直に穴があけられ、各ＬＥＤランプ2bはその穴に挿入固定される。ＬＥＤランプを位置、光軸方向ともに正確に設定でき、建物壁面等、広範囲な面積に渡りLEDランプによる看板、装飾を施す場合の最も一般的方法であるが、アルミ板加工等を伴い、重量も重くなること、表示面は平面に限られることが欠点となる。また、輝度制御するためには別途プリント基板等を用意しなければならない。
以上述べたように、従来のどの手法においても、防水、防護、光軸設定、デザイン上の自由度、即応性、あるいは軽量化等の基本的課題を同時には解決することができない。
本発明は上記の課題を総合的に解決する新しい手段を提供するものである。
【課題を解決するための手段】
【０００８】
本発明による表示システムは、ＬＥＤランプを含め必要な電子回路を搭載する帯状フレキシブルプリント基板（以下、フレキシブルＬＥＤモジュールと呼ぶ）により構成される。このフレキシブルＬＥＤモジュールは自在に曲げ加工でき、形状的自由度を備えている。
【０００９】
上記フレキシブルＬＥＤモジュールは、表示面と垂直に設けられる帯状の「モジュール固定用リム」に張り合わされる、あるいは、透明樹脂材等に掘込まれた「モジュール収納溝」挟み込むことにより所定形状で成型、固定される。
【００１０】
それらの「モジュール固定用リム」、「モジュール収納溝」は制作現場での樹脂加工により施工、製作でき、上記フレキシブルＬＥＤモジュールの防護、防水措置と表示面の補強、あるいは平面、立体表示システムの効率的構築手段としての機能も兼ね備えている。
【実施例１】
【００１１】
本実施例は前記フレキシブルＬＥＤモジュールの構成方法とそのモジュールを用いての両面表示パネル構成方法に関する実施例である。
【００１２】
本発明によるフレキシブルＬＥＤモジュールは、連珠状に連ねたＬＥＤランプを個別に輝度制御する連珠状ＬＥＤモジュール（特許文献１）の基本回路を用いて実現されている。連珠状ＬＥＤモジュールは光広告、看板、装飾の分野にフルカラー映像表示機能を取り入れることを可能とするメリットがある一方、輝度制御のための電子回路をモジュール内に組み込む必要があり、モジュール自体の防護、防水措置が輝度制御なしの従来のルミチューブ等と比べより困難となっている。
【００１３】
そのため、本フレキシブルＬＥＤモジュールでは、各ＬＥＤランプを柔軟性のある紐状に連ね、かつ点灯制御レジスタ等の輝度制御のための電子回路をモジュール内に組み込むため、ＬＥＤランプ及びそれらの電子回路は帯状のフレキシブルプリント基板（以下ＦＰＢと略記する）上に一括して搭載されている。  即ち、図３に示されるように最終製品としての表示パネルを両面表示とするため、20mmｘ500mmのＦＰＢ3aの両縁に沿って30mmピッチで各１６画素、計３２画素分のＬＥＤランプ3bが搭載され、各画素は３原色ＬＥＤを角型パッケージに一体的に封止したフルカラーチップタイプのＬＥＤランプにより実現されている。
【００１４】
このＦＰＢを捻ることなくロール状に曲げ加工した場合、両縁が描く２つの曲線はそれぞれ同一平面上にあり、それら２つの平面が、このＦＰＢをロール状に曲げ加工した場合の表、裏の表示面となる。このようにＦＰＢをロール状に曲げ加工することにより所定の形状に成形後においても、全てのＬＥＤランプの光軸が表示面と常に垂直方向を保持できるよう、実装されるＬＥＤランプの光軸は、ＦＰＢ平面と平行、かつ、両縁とは外側垂直方向となるよう設定される。そのためＬＥＤランプとしては、半田接着面と光軸方向が平行となるいわゆるSideViewタイプが採用されている。
【００１５】
図４はこれらのＬＥＤランプ4a,4b,4c・・・を前記連珠状ＬＥＤモジュールのサブフレーム方式で個別に輝度制御するための電子回路である。これらのＬＥＤランプの他、３個の数ミリ角のソースドライバ4p,4q,4r、および、それぞれ１６個の点灯制御レジスタ4g,4h,4i・・・と定電流シンクドライバ4d,4e,4f・・・とをSSOPパッケージ（13mmｘ8mm）にまとめたチップ１個等で構成され、また、Ｒ、Ｇ、Ｂ別ソース電源線4j、4k、4m、クロック信号線4l、輝度データ信号線4o、表示オンオフ信号線4nはフレキシブルなプリント配線により実現されており、これらのＦＰＢへの搭載、あるいはＦＰＢの曲げ加工に関して何ら問題を生じさせるものではない。
【００１６】
これらの電子回路は、表、裏それぞれの表示面に同一の電飾映像を表示させる場合（同一の輝度制御を行う場合）には、ＦＰＢ上で同一位置に配置された画素のＬＥＤランプは直列接続され、点灯レジスタ4g,4h,4i・・・  、定電流シンクドライバ4d,4e,4f・・・  、クロック信号線等の各種信号線は表、裏で全て共用される。
【００１７】
また、表、裏それぞれの表示面で別々の電飾映像を表示させる場合（別々に輝度制御を行う場合）は、点灯レジスタ4g,4h,4i・・・  、定電流シンクドライバ4d,4e,4f・・・  は別々に設けられるか、時分割制御することにより共用される。いずれの場合でもクロック信号線等の各種信号線は共用される。
【００１８】
このように構成されるフレキシブルＬＥＤモジュールは、透明熱収縮チューブによりラミネート加工される。熱収縮チューブは熱風等により簡単に収縮させることができ、フレキシブルＬＥＤモジュールに直接かぶせラミネートする、あるいは、後述の帯状ベース材を張り合わせた後、ラミネート加工される。
【００１９】
すなわち、ＦＰＢとして、薄いガラスエポキシ材等、ラミネート加工時の熱収縮チューブの収縮力によるＦＰＢの歪み、変形の心配がない比較的硬度のある材料が用いられる場合は、細かな曲げ加工には向かないものの、透明熱収縮チューブを直接かぶせ熱収縮させることによりラミネート加工される。
【００２０】
より細密な曲げ加工が必要である場合には、ＦＰＢとしてポリイミド等柔軟性に富む材料が使用される。この場合には、ラミネート加工時の熱収縮力により、ＦＰＢ自体に変形が生じる恐れがあるため、その変形を防ぐベース材を張り合わせた上でラミネート加工される。
【００２１】
ベース材はＬＥＤランプの光を遮断することのないようＦＰＢと同じ幅の帯状に成型される。材料的には、熱収縮チューブの収縮力に耐え、かつ、ロール状に曲げ加工が容易であることが求められる。
【００２２】
また、アルミ薄板等、曲げ加工後その形状をそのまま保持できる材料であればさらに都合がよい。
【００２３】
熱収縮チューブによるラミネート加工は制作現場においても簡単に実施できることから、制作現場において帯状ベース材を曲げ加工した後ラミネート加工を施工することもできる。
【００２４】
すなわち、図５に示されるように、予め帯状ベース材を目的とする形状に曲げ加工し、この曲げ加工済み帯状ベース材5aとフレキシブルＬＥＤモジュール5bを張り合わせ、張り合わせた帯状複合材5cに透明熱収縮チューブ5dをかぶせラミネート加工する。
【００２５】
この場合のメリットはベース材としての材料とその加工法の選択範囲が広がることにある。
【００２６】
例えば、ベース材としては、看板等の制作現場においても熱を加えることにより容易に曲げ加工でき、曲げ加工後の冷却により、形状固定も簡単な熱可塑性のあるアクリル樹脂等を採用することが可能となる。
【００２７】
先にラミネート加工を施工してしまうと、こうした加熱による曲げ加工は、ＦＰＢに熱ストレスを加えることになるため採用しがたい工法である。
【００２８】
このように、曲げ加工後の帯状ベース材にフレキシブルＬＥＤモジュールを張り付けた後ラミネート加工する施工法のメリットは、帯状ベース材の曲げ加工（すなわち広告看板灯等のデザイン加工）はフレキシブルＬＥＤモジュールとは完全に切り離して施工でき、フレキシブルＬＥＤモジュールは曲げ加工に伴う熱、応力等のストレスから完全に解放されることにある。
【００２９】
なお、フレキシブルＬＥＤモジュールと曲げ加工後のベース材の張り合わせ作業を容易とするため、ＦＰＢの部品を実装する以前、かつ、帯状に切り出す以前のフレキシブルプリント基板（部品実装面の）裏側には予め両面粘着テープを張り合わせ、基板切断時に同時に両面粘着テープも切断することにより、フレキシブルＬＥＤモジュールは両面粘着テープ装着済みとしても良い。
【００３０】
同様に帯状ベース材に両面粘着テープを装着済みとしてもよい。また、こうした両面粘着テープは帯状ベース材が金属の場合の絶縁体として兼用させても良い。
【００３１】
以上述べた熱収縮チューブによるラミネート加工による防水、防護加工は透明アクリル板、ガラス板で表示面全体を覆う従来の手法に比べ表示システム全体を極めて軽量化できる特徴もある。このため、例えば、本実施例によるＬＥＤ表示システムを既設窓ガラスにゴム吸盤で張り付け固定する等の設置方法も可能となる。
【００３２】
この軽量化をさらに徹底させるためには、重量的に最も大きな割合を占める帯状ベース材の軽量化を図る必要がある。
【００３３】
帯状ベース材は、ラミネート済み表示システムの全体形状を保持、型くずれを防ぎ、ＬＥＤランプを初めとする電子部品を熱収縮チューブの熱収縮力から防護する必要もあることからある程度の強度も求められる。強度と軽量化、曲げ加工の容易さ、熱収縮力への対抗性を両立させる手段として、図６に示されるようにアクリル材、アルミ板等のベース材6cに一定間隔でスリット6dを入れ、ベース材として用いても良い。
【００３４】
この場合、曲がりはスリット部に集中するため、スリットを、ＦＰＢ6b上で等間隔に並べられたＬＥＤランプ6aの中間部に設定するなど、部品実装部を避けるよう配置することにより、曲げ加工から実装部品を防護する効果も生じる。
【００３５】
以上述べた、ベース材曲げ加工、ラミネート加工等の各種工法は従来より普及し用いられてきた一般的手法であり、例えば、一般家庭に対しても、フレキシブルＬＥＤモジュール、その長さ、幅に見合う帯状ベース材、熱収縮チューブの必要基本材料（及びゴム吸盤支持物等）をパッケージ化されている商品として供給することにより、手軽に独自のデザインで各種ＬＥＤ装飾システムを制作、それらを釣り下げ、あるいは窓ガラスに張り付け設置するなどして楽しむことが可能となる。
【００３６】
なお、フレキシブルＬＥＤモジュールに搭載するＬＥＤランプとしては、上記角形パッケージＬＥＤランプに代わりより一般的な砲弾型レンズ付きＬＥＤランプを実装させてもよい
【００３７】
角形パッケージＬＥＤランプと同様、それら砲弾型ＬＥＤランプは帯状ＦＰＢの縁に沿って、光軸がＦＰＢ平面と平行かつ、縁に外側垂直となるよう取り付けられが、この砲弾型ＬＥＤランプの場合、砲弾型レンズはＦＰＢより突出している必要があり、この突出部には前記熱収縮チューブによる防水、防護措置加工に際して収縮力が集中し、ＦＰＢ自体を破損させるおそれが生じる。
【００３８】
その破損を防ぐため、図７に示されるように、  ベース材7bの幅はＦＰＢ7aの幅より広く設定され、そのＬＥＤランプによる突出部7cをカバーするよう設計されている。そしてベース材による光遮断を防ぐためベース材7bとしては透明アクリル板等の透明材が用いられる。
【００３９】
図８に示されるように、この砲弾型ＬＥＤランプ8d等、ＦＰＢ8aに装着され突出した電子部品をより効率的に熱収縮力より防護するため、ベース材8bにはそれらの部品を包み込む凹部を設けても良い。  また、それらの部品を囲む切り欠き部8eをベース材8bに設けても同様の効果を生じせしめることができる。
【特許文献１】特開２００４−０７０１７９号公報
【実施例２】
【００４０】
前述のように「モジュール固定用リム」は、フレキシブルＬＥＤモジュールを捻れなしで表示面と垂直に一定形状で固定するため設定されている連続壁面であり、このモジュール固定機能に加え、ＬＥＤランプの光を遮らないこと、別途、モジュール全体を防護、防水する方策が存在することが求められる。
【００４１】
前実施例（実施例１）では、帯状ベース材が「モジュール固定用リム」の役割を果たしていたのに対し、本実施例では、アクリル樹脂シートを熱加工することで、この「モジュール固定用リム」を実現している。
【００４２】
図９、図１０（断面）はこのアクリル樹脂シートを型に押しつけ熱加工することにより、成型される「モジュール固定用リム」の構造を図示したものである。
【００４３】
すなわち、アクリル樹脂シートは、表示面と平行な凸面部9a、10aと凹面部9b、10bとに分けられ成形され、この凸面部と凹面部の境界に形成される帯状垂直面10dが「モジュール固定用リム」として利用される。フレキシブルＬＥＤモジュール9c、10c,はこのように形成される「モジュール固定用リム」に沿って張り付け固定される。
【００４４】
凸面部と凹面部の境界に形成される上記帯状垂直面10dは「モジュール固定用リム」として利用されるのみならず、表示面全体の強度を補強する垂直フレームとしての役割も果たす。
【００４５】
また、できるだけ薄い樹脂シートにより必要強度を確保するため、これら「モジュール固定用リム」とは別に、補強用専用フレーム9e、10eも同時に熱成形される。
補強用フレーム同様、必要に応じて、ＬＥＤランプ光の拡散用レンズ構造も同時に成形しても良い。
【００４６】
このようにして成形される「モジュール固定用リム」構造は、必要に応じて透明板10f等をかぶせ、防水防護措置が施される。
【００４７】
フレキシブルＬＥＤモジュールが「実施例１」記載のベース材と張り合わされている場合は、上記「モジュール固定用リム」は、フレキシブルＬＥＤモジュールを必ずしも連続的に支える必要がなくリムは部分的なものであっても良い。
【００４８】
また、多量生産する場合は、薄板樹脂を熱加工するのではなく、射出成形加工により製造しても良い。
【実施例３】
【００４９】
本実施例は、前記フレキシブルＬＥＤモジュールを透明平面パネルに切り込まれた溝、すなわち「モジュール収納溝」に収納することにより表示面を構成する実施例である。
【００５０】
「モジュール収納溝」の一般的要件としては「モジュール固定用リム」と同様、フレキシブルＬＥＤモジュール全体が捻られることなく、表示面に垂直に所定の形状で固定できること、搭載ＬＥＤランプの光を遮光しないこと、モジュール全体を防護、防水できることである。
【００５１】
本実施例の表示面は図１１、図１２（断面図）に示されるように所定の形状のモジュール収納溝」が溝切り加工により施された透明アクリル樹脂板11a，１２ａとその「モジュール収納溝」に埋め込まれたフレキシブルＬＥＤモジュール11b、12b、及び透明アクリル樹脂パネル12cから構成される。
【００５２】
透明アクリル板11a,12aの形状は矩形に限らずデザインされた様々な形状に切り出され、溝切り加工を加え、「モジュール収納溝」内部に沿ってフレキシブルＬＥＤモジュール11b、12bを埋め込むことにより、バラエティ豊かなＬＥＤ装飾パネルを実現することができる。  即ち、溝切り加工が施された透明アクリル板11a,12aは、それ自体で装飾性に富むパネルを形成すると同時にフレキシブルＬＥＤモジュール11b、12bをパネル内で、所定形状に成形、所定位置に固定させる役割、及び、裏面パネル12cを張り付けることにより同モジュール11b、12bを防護、防水する役割を果たす。
【００５３】
また、この裏面パネル12c及び、アクリル板11a、12aを透明樹脂とすることにより、「モジュール収納溝」内部に沿って設置された前記両面表示可能フレキシブルＬＥＤモジュールのＬＥＤランプの光を遮光することなくパネルを両面表示パネルとすることができる。
【００５４】
なお、上記の方法では、アクリル板11a、12aはフレキシブルＬＥＤモジュール11b、12bの幅以上の厚みが必要であるが、図１３に示されるように別途、溝が貫通しているガイド板13aを設け、透明表、裏パネル13c、13dでフレキシブルＬＥＤモジュール13bをサンドウィッチ状に挟み込むことでも同様の効果がもたらされる。
【００５５】
上記ガイド板13aの材料としては透明アクリル樹脂以外に軽量で加工しやすい発泡スチロール等の発泡材を用いても良い。
【００５６】
上記「モジュール収納溝」は先述のように透明アクリル樹脂の２次加工としての溝切り加工として実現する他、図１４の断面図に示されるようにアクリル樹脂シートの熱可塑性を利用した熱加工により実現することも可能である。
【００５７】
すなわち、型に押しつけることにより凹凸が成型された透明アクリルシート14a、14cを重ね合わせることにより、フレキシブルＬＥＤモジュール14bを固定する「モジュール収納溝」14cを実現する。
【００５８】
この方法においても、「モジュール収納溝」14cと同時に、アクリル板の縁に沿っての凸部14dを成型する等により、全体をささえ、強度を強化するための中空フレームを同時に成型することができる。
【実施例４】
【００５９】
本実施例では図１５に示されるように所定の形状に熱加工された帯状透明樹脂材15aの側面より「モジュール収納溝」が彫り込まれる。フレキシブルＬＥＤモジュール15bはこの「モジュール収納溝」に差し込まれ固定され、溝の開口部はシリコン樹脂等で密封される。
【実施例５】
【００６０】
個別に輝度制御される画素が平面上でマトリックス状に配列されている表示画面は、例えばＴＶカメラ映像をそのまま表示でき、ＬＥＤランプによる最も重要な表示システムの１つである。
【００６１】
本実施例においては、ＴＶ表示画面が透明樹脂加工による「モジュール固定用リム」により実現される。
【００６２】
図１６はこのようにＴＶ画面を構成するため、フレキシブルＬＥＤモジュールを並列配置するための「モジュール固定用リム」樹脂材断面図である。直線状の「モジュール固定用リム」16aが縦格子状（あるいは横格子状）に一定間隔で平行配置されている。これらの並列「モジュール固定用リム」は、透明樹脂を射出成形して、あるいは熱可塑性を備える透明アクリル樹脂シートを熱加工して成型される。
【００６３】
これらの「モジュール固定用リム」16aは画面全体を支えるための強度を保つフレームとしても利用される。すなわち「モジュール固定用リム」16aはそのままフレームとしての役割を果たし、画面全体の軽量化、強度強化に大きな役割を果たす。
【００６４】
なお、本実施例においては各画素は直線上に配置されることから、フレキシブルＬＥＤモジュールは必ずしも”フレキシブル”である必要はなく、硬質プリント基板を用いても良く、前記フレキシブルＬＥＤモジュール同様、ＬＥＤランプを基板の両縁に搭載させることにより、容易に表裏両面表示可能とすることができる。  
【００６５】
光装飾システムとしては、上記矩形ＴＶ表示画面を例えば楕円、円等で切り抜いた、矩形以外のＴＶ表示画面も重要である。これらの異形ＴＶ表示画面も、同様な手法により（長さの異なる「モジュール固定リム」を並べることにより）容易に実現することができる。
【００６６】
また、マトリックス状表示画面の行、又は列相互間の平行性を保ちつつ平面を変形して得られる帯状ＴＶ表示画面も、図１６に示される「モジュール固定用リム」の断面配列を直線から所定の形状の曲線に変更することで容易に実現できる（図１７）。
【００６７】
以上に示された透明樹脂製「モジュール固定用リム」で構成されるＴＶ表示画面の利点は薄型軽量であると共に画面全体としても光透過性を有することである。
【００６８】
従来の硬質プリント基板を並べて構成されるＴＶ表示画面は、光透過性がないため、例えば各種イベント会場の舞台において、投光器、レザービーム光線発射機を設置する場合、ＴＶ表示画面を避ける、あるいはＴＶ表示画面前面に別途支持機構を組み上げ設置する必要があった。
【００６９】
本実施例によるＴＶ表示画面は光透過性を有するため、これらの装置を、表示画面の背後に映像表示を妨げることなく設置することができ、より効果的な舞台システムを構築することができる。
【実施例６】
【００７０】
本実施例は、透明アクリル樹脂シート等、熱可塑性のある透明薄板樹脂材を型に圧接して成形される透明中空カバー内側に「モジュール固定用リム」あるいは「モジュール収納溝」を設けることにより３次元光造形を構成する実施例である。
【００７１】
以下に示されるいずれの光造形についてもそれらを構成する画素は帯状フレキシブルプリント基板上に搭載され個別に輝度制御されるＬＥＤランプにより構成され、全体形状に即した各種装飾映像を映し出す。また、それらの画素は、３次元配置されるため、広い視認角度（拡散角度）を備えていることが望ましく、必要に応じて各画素は、SideViewとTopviewの光軸角度が異なるＬＥＤランプを組み合わせる、上記透明中空カバー表面に光拡散レンズを形成する手段がとられる。  
【００７２】
図１８は半球状光造形のための透明中空カバーの断面図である。中空カバーの内側には同心円状に「モジュール固定用リム」18aが成型され、それらの「モジュール固定用リム」に沿ってフレキシブルＬＥＤモジュールが張り付け固定される。
【００７３】
図１９は放物線状に成型されたフレキシブルＬＥＤモジュールである。図２０はこの放物線状のフレキシブルＬＥＤモジュール複数個を垂直軸周りに一定角度で回転配置し固定するための「モジュール固定用リム」を構成するアサガオ状中空透明カバーである。
【００７４】
フレキシブルＬＥＤモジュールはこの透明中空カバー内側に等間隔（等角度）で張り付けられることにより全体として噴水状の光造形を形成する。それらの放物線状フレキシブルＬＥＤモジュールには噴水の流れを模した装飾映像が映し出される（特許文献２）。
【００７５】
図２０のアサガオ状透明中空カバーに対して、図２１に示されるように、強度補強用フレームを兼ねると同時に垂直表示面を積極的に確保するため「モジュール固定溝」21aを設けても良い。この場合、フレキシブルＬＥＤモジュールは「モジュール固定溝」21aの底に沿って張り付けられ固定される。
【００７６】
なお、その断面が図１８に示される半球型光造形のように、水平面に横たわる「モジュール固定用リム」18aを鉛直方向に積み重ねて形成される光造形は、それぞれの「モジュール固定用リム」を切り離し、単独で構成する表示モジュールを順次吊り下げることでも実現できる。  
【００７７】
図２２は上記の手法により、直径の異なる帯状円形の表示モジュール22a,22b・・・を順次釣り下げて実現される光造形である。各表示モジュールは例えば帯状ベース材にフレキシブルＬＥＤモジュールを張り付けることにより、あるいは「実施例４」の「モジュール固定溝」付き透明樹脂材により実現され、各表示モジュールを円形以外の形状（例えば矩形、三角形等、直線）に設定することにより形状の異なる各種光造形を形成することができる。
【００７８】
この吊下式光造形の利点は、軽量でデザイン上の新規性があり、折り畳み収納でき、吊下用支持点さえ確保できれば簡単に設置できること、大きさ等樹脂カバーの製造上の制約を受けないことである。
【特許文献２】特開２００６−２５１５７６号公報
【図面の簡単な説明】
【００７９】
【図１】ＬＥＤランプの防水、防護措置の１例である。
【図２】アルミ板を使った表示システム構成方法を示す。
【図３】フレキシブルＬＥＤモジュールを示す。
【図４】輝度制御回路を示す。
【図５】ベース材成形後の熱収縮チューブによるラミネート加工法を示す。
【図６】スリット入りベース材を示す。
【図７】透明ベース材による突出部防護法を示す。
【図８】切り欠き部を有するベース材の例を示す。
【図９】透明樹脂シートによる「モジュール固定用リム」を示す。
【図１０】図９の断面図である。
【図１１】透明樹脂板に切り込まれた「モジュール収納溝」を示す。
【図１２】図１１の断面図である。
【図１３】「モジュール収納溝」を示す。
【図１４】透明樹脂シートによる「モジュール収納溝」を示す。
【図１５】樹脂板の側面から切り込まれた「モジュール収納溝」を示す。
【図１６】ＴＶ表示画面を構成する「モジュール固定用リム」を示す。
【図１７】帯状に変形されたＴＶ表示画面を構成する「モジュール固定用リム」を示す。
【図１８】半円型光造形のための透明中空カバー断面図である。
【図１９】放物線状に成形された表示モジュールを示す。
【図２０】噴水型光造形のための透明中空カバーを示す。
【図２１】「モジュール収納溝」が成型された噴水型光造形のための透明中空カバーを示す。
【図２２】吊り下げ型光造形の例を示す。
【符号の説明】
【００８０】
1a・・・ＬＥＤランプ
1b・・・熱収縮チューブ
1c・・・リード線接続部
1d・・・電線
2a・・・アルミ板
2b・・・ＬＥＤランプ
3a・・・フレキシブルプリント基板
3b・・・角形SideViewフルカラーチップタイプＬＥＤランプ
4a,4b,4c・・・フルカラーチップ型ＬＥＤランプ
4d,4e,4f・・・定電流シンクドライバ
4g,4h,4i・・・点灯制御レジスタ
4j,4k,4m・・・Ｒ、Ｇ、Ｂ別ソース電源線
4l・・・クロック信号線
4n・・・表示オンオフ信号線
4o・・・輝度データ信号線
4p,4q,4r・・・ソースドライバ
5a・・・曲げ加工済み帯状ベース材
5b・・・フレキシブルＬＥＤモジュール
5c・・・張り合わせ複合材
5d・・・透明熱収縮チューブ
6a・・・角形フルカラーチップタイプＬＥＤランプ
6b・・・フレキシブルＬＥＤモジュール
6c・・・帯状ベース材
6d・・・スリット
7a・・・フレキシブルプリント基板
7b・・・透明ベース材
7c・・・砲弾型ＬＥＤランプ
8a・・・フレキシブルプリント基板
8b・・・透明帯状ベース材
8d・・・砲弾型ＬＥＤランプ
8e・・・切り欠き部
9a・・・凸面部
9b・・・凹面部
9c・・・フレキシブルＬＥＤモジュール
9d・・・「モジュール固定用リム」
10a・・・凸面部
10b・・・凹面部
10c・・・フレキシブルＬＥＤモジュール
10d・・・「モジュール固定用リム」
10e・・・補強用専用フレーム
10f・・・透明アクリル板
11a・・・透明アクリル樹脂板
11b・・・フレキシブルＬＥＤモジュール
12a・・・透明アクリル樹脂板
12b・・・フレキシブルＬＥＤモジュール
12c・・・裏面パネル
13a・・・ガイド板
13b・・・フレキシブルＬＥＤモジュール
13c・・・表パネル
13d・・・裏パネル
14a・・・透明アクリル薄板
14b・・・フレキシブルＬＥＤモジュール
14c・・・透明アクリル薄板
14d・・・中空フレーム
15a・・・帯状透明樹脂材
15b・・・フレキシブルＬＥＤモジュール
16a・・・「モジュール固定用リム」
16b・・・フレキシブルＬＥＤモジュール
18a・・・「モジュール固定用リム」
18b・・・フレキシブルＬＥＤモジュール
22a・・・帯状円形表示モジュールを示す。
22b・・・帯状円形表示モジュールを示す。
22c・・・帯状円形表示モジュールを示す。
【図１】
0004932632.tif 000002
【図２】
0004932632.tif 000003
【図３】
0004932632.tif 000004
【図４】
0004932632.tif 000005
【図５】
0004932632.tif 000006
【図６】
0004932632.tif 000007
【図７】
0004932632.tif 000008
【図８】
0004932632.tif 000009
【図９】
0004932632.tif 000010
【図１０】
0004932632.tif 000011
【図１１】
0004932632.tif 000012
【図１２】
0004932632.tif 000013
【図１３】
0004932632.tif 000014
【図１４】
0004932632.tif 000015
【図１５】
0004932632.tif 000016
【図１６】
0004932632.tif 000017
【図１７】
0004932632.tif 000018
【図１８】
0004932632.tif 000019
【図１９】
0004932632.tif 000020
【図２０】
0004932632.tif 000021
【図２１】
0004932632.tif 000022
【図２２】
0004932632.tif 000023